(57)【要約】      （修正有）【課題】幌布を用いた折り畳み可能な幌でありながら、折り畳み状態における幌布の垂れ下がりを生じさせない幌を提供する。【解決手段】幌は、正面視において逆Ｕ字形状の第１幌セグメント３０と、正面視において逆Ｕ字形状であり、前記第１幌セグメント３０とは別体の第２幌セグメント４０と、幅方向の両端において前記第１幌セグメントの基部と前記第２幌セグメントの基部とを回動可能に連結する連結軸６０とを備える。各幌セグメント３０は、間隔をあけて幅方向に延びる逆Ｕ字形状の一対の幌骨３１，３２と、幅方向の両端において一対の幌骨の基部に固定連結されて一対の幌骨の間隔を固定する固定部材３３と、一対の幌骨間に掛け渡される幌布３４とを有する。【選択図】図６
0003172193.tif 000002
【実用新案登録請求の範囲】
【請求項１】
正面視において逆Ｕ字形状の第１幌セグメントと、正面視において逆Ｕ字形状であり、前記第１幌セグメントとは別体の第２幌セグメントと、幅方向の両端において前記第１幌セグメントの基部と前記第２幌セグメントの基部とを回動可能に連結する連結軸とを備え、
前記各幌セグメントは、間隔をあけて幅方向に延びる逆Ｕ字形状の一対の幌骨と、幅方向の両端において前記一対の幌骨の基部に固定連結されて一対の幌骨の間隔を固定する固定部材と、前記一対の幌骨間に掛け渡される幌布とを有する、幌。
【請求項２】
前記第１幌セグメントと前記第２幌セグメントとの間の隙間を覆うように、第１幌セグメントと第２幌セグメントとの間に掛け渡される補助幌布と、前記補助幌布と前記各幌セグメントとを取り外し可能に接続する接続手段とをさらに備える、請求項１に記載の幌。
【請求項３】
前記各幌セグメントの一対の幌骨と固定部材とは樹脂の一体成形物である、請求項１または２に記載の幌。
【請求項４】
座部および背もたれ部を有する座席本体と、前記座席本体の幅方向両側部に取けられるドーム形状の幌とを備えた子供用座席であって、
前記幌は、正面視において逆Ｕ字形状の第１幌セグメントと、正面視において逆Ｕ字形状であり、前記第１幌セグメントとは別体の第２幌セグメントと、幅方向の両端において前記第１幌セグメントの基部と前記第２幌セグメントの基部とを回動可能に連結する連結軸とを備え、
前記各幌セグメントは、間隔をあけて幅方向に延びる逆Ｕ字形状の一対の幌骨と、幅方向の両端において前記一対の幌骨の基部に固定連結されて一対の幌骨の間隔を固定する固定部材と、前記一対の幌骨間に掛け渡される幌布とを有する、子供用座席。
【請求項５】
前記連結軸は、前記固定部材を貫通して前記座席本体の側部に取り付けられている、請求項４に記載の子供用座席。
【請求項６】
前記各幌セグメントの一対の幌骨と固定部材とは樹脂の一体成形物である、請求項４または５に記載の子供用座席。
【請求項７】
前記子供用座席は、自動車の座席上に取り付けられるチャイルドシートであり、
前記ドーム形状の幌は、前記背もたれ部の幅方向両側面に脱着可能に取り付けられる、請求項４〜６のいずれかに記載の子供用座席。
【考案の詳細な説明】
【技術分野】
【０００１】
この考案は、日除け等の目的で使用される幌および幌付子供用座席に関するものである。
【背景技術】
【０００２】
子供用座席として、乳母車や、自動車用チャイルドシート等がある。これらの子供用座席の中には、子供を強い日射しから護るために幌を取り付けたものも提供されている。例えば、幌を備えたチャイルドシートは特開２００６−２７３２５６号公報（特許文献１）に開示され、幌を備えた乳母車は実開平１−７０６７６号公報（特許文献２）に開示されている。
【先行技術文献】
【特許文献】
【０００３】
【特許文献１】特開２００６−２７３２５６号公報
【特許文献２】実開平１−７０６７６号公報
【考案の概要】
【考案が解決しようとする課題】
【０００４】
実開平１−７０６７６号公報（特許文献２）に開示された幌は、大型のドーム形状であり、乳母車本体に支持された支持部材に軸支された４本の幌骨と、４本の幌骨の間を連結するように張られた幌布とを備えている。幌布は、見た目にも感触的にも温かみを感じさせるものであるので、乳幼児を着座させることを意図した子供用座席の幌の構成要素として好んで使用される。また、幌布の材質を適切に選べば、日除けの機能のみならず、明るさを調節する機能も兼ね備えたものとなる。
【０００５】
幌を開いた状態では、幌骨間の間隔は大きく、幌布はぴんと張った状態になっている。一方、幌を畳んだ状態では、隣接する幌骨は近接して位置するようになるので、隣接する幌骨間に位置する幌布は、下方に垂れ下がった状態になる。幌を畳んで幌布が下方に垂れ下がった状態であっても、座席上に着座している乳幼児の頭に幌布が接触するようなことがあってはならない。そのため、幌布の垂れ下がり長さを考慮して、幌骨の高さを決定しなければならない。
【０００６】
戸外で使用する乳母車の場合には幌骨の高さに制限はないが、車の座席上に設置されるチャイルドシートの場合、車の天井によって高さが制限されていること、および運転者の視界を妨げないこと等の観点から、幌骨の高さをあまり大きくすることができない。しかし、幌骨の高さが低いと、垂れ下がった幌布が乳幼児に接触するおそれが生じる。
【０００７】
本考案の目的は、幌布を用いた折り畳み可能な幌でありながら、折り畳み状態における幌布の垂れ下がりを生じさせない幌を提供することである。
【０００８】
本考案の他の目的は、上記の幌を備えた子供用座席を提供することである。
【課題を解決するための手段】
【０００９】
本考案に係る幌は、正面視において逆Ｕ字形状の第１幌セグメントと、正面視において逆Ｕ字形状であり、第１幌セグメントとは別体の第２幌セグメントと、幅方向の両端において第１幌セグメントの基部と第２幌セグメントの基部とを回動可能に連結する連結軸とを備える。各幌セグメントは、間隔をあけて幅方向に延びる逆Ｕ字形状の一対の幌骨と、幅方向の両端において一対の幌骨の基部に固定連結されて一対の幌骨の間隔を固定する固定部材と、一対の幌骨間に掛け渡される幌布とを有する。
【００１０】
上記構成の本考案によれば、幌の折り畳み状態においても、幌布は一対の幌骨間にぴんと張った状態のままで維持されるので、幌布の垂れ下がりは生じない。
【００１１】
一つの実施形態に係る幌は、第１幌セグメントと第２幌セグメントとの間の隙間を覆うように、第１幌セグメントと第２幌セグメントとの間に掛け渡される補助幌布と、補助幌布と各幌セグメントとを取り外し可能に接続する接続手段とをさらに備える。
【００１２】
一つの実施形態では、各幌セグメントの一対の幌骨と固定部材とは樹脂の一体成形物である。この一体成形物は一対の幌骨間に開口窓を有しており、この開口窓が幌布によって覆われる。
【００１３】
本考案に従った子供用座席は、座部および背もたれ部を有する座席本体と、座席本体の幅方向両側部に取けられるドーム形状の幌とを備える。幌は、正面視において逆Ｕ字形状の第１幌セグメントと、正面視において逆Ｕ字形状であり、第１幌セグメントとは別体の第２幌セグメントと、幅方向の両端において第１幌セグメントの基部と第２幌セグメントの基部とを回動可能に連結する連結軸とを備える。各幌セグメントは、間隔をあけて幅方向に延びる逆Ｕ字形状の一対の幌骨と、幅方向の両端において一対の幌骨の基部に固定連結されて一対の幌骨の間隔を固定する固定部材と、一対の幌骨間に掛け渡される幌布とを有する。
【００１４】
一つの実施形態では、各幌セグメントの一対の幌骨と固定部材とは樹脂の一体成形物である。この一体成形物は一対の幌骨間に開口窓を有しており、この開口窓が幌布によって覆われる。
【００１５】
好ましくは、上記連結軸は、固定部材を貫通して座席本体の側部に取り付けられている。一つの実施形態では、子供用座席は、自動車の座席上に取り付けられるチャイルドシートであり、ドーム形状の幌は、背もたれ部の幅方向両側面に脱着可能に取り付けられる。
【図面の簡単な説明】
【００１６】
【図１】展開状態の幌を取り付けている自動車用チャイルドシートを示す側面図である。
【図２】中間段階まで畳まれた状態の幌を取り付けているチャイルドシートを示す側面図である。
【図３】最終段階まで畳まれた状態の幌を取り付けているチャイルドシートを示す側面図である。
【図４】最終段階まで畳まれた状態の幌を取り付けているチャイルドシートの斜視図である。
【図５】３個の幌セグメントを分離した状態の斜視図である。
【図６】展開状態の幌を示す斜視図である。
【図７】折り畳み状態の幌を示す斜視図である。
【図８】折り畳み状態の幌を示す正面図である。
【図９】２個の幌セグメントの間をあけた状態の斜視図である。
【図１０】２個の幌セグメントの間の隙間を覆うように両幌セグメント間に補助幌布を掛け渡した状態の斜視図である。
【図１１】他の実施形態に係るチャイルドシートを示す側面図である。
【考案を実施するための形態】
【００１７】
本考案の幌が取り付けられるのは、自動車用チャイルドシートや乳母車に代表される子供用座席である。以下の実施形態では、チャイルドシートを例にして説明するが、乳母車に対しても同様に適用される。
【００１８】
図１〜図４は、幌を取り付けているチャイルドシート１００を示している。チャイルドシートは、座席本体１０と、座席本体１０に取り付けられた幌２０とを備える。座席本体１０は、ベース部材１１と、このベース部材上に設置される座部１２と、リクライニング調節可能な背もたれ部１３とを備える。図１〜図３は背もたれ部が後傾している状態を示し、図４は背もたれ部が起立している状態を示している。
【００１９】
幌２０は、全体としてドーム形状をしており、座席本体１０の幅方向両側部に脱着可能に、あるいは取り外し不能に取り付けられている。図５から明らかなように、幌２０は、正面視において逆Ｕ字形状の第１幌セグメント３０と、正面視において逆Ｕ字形状の第２幌セグメント４０と、正面視において逆Ｕ字形状の第３幌セグメント５０とを備えている。第１、第２および第３幌セグメント３０，４０，５０はそれぞれ別体であり、幅方向の両端部において各セグメントの基部が連結軸６０によって回動可能に連結される。この回動軸６０は、３個の幌セグメント３０，４０，５０を扇の要のように連結するとともに、幌２０全体を座席本体１０の背もたれ部１３の側面に回動可能に連結している。
【００２０】
第１、第２および第３幌セグメントは、いずれも正面視において逆Ｕ字形状をしているが、折り畳み状態においてそれらが重なり合うことを許容するために、第１幌セグメント３０の幅寸法および高さ寸法が最も大きく、第２幌セグメント４０が中間の大きさであり、第３幌セグメント５０が最も小さくなるようにしている。この寸法関係は、図７および図８を参照すれば、容易に理解できる。
【００２１】
図６は、展開状態の幌２０を示している。第１幌セグメント３０、第２幌セグメント４０および第３幌セグメント５０の基本構造は同じであるので、図６においては、代表例として第１幌セグメント３０の幌布の一部を破断して幌骨の一部を露出させている。図示するように、第１幌セグメント３０は、間隔をあけて幅方向に延びる逆Ｕ字形状の一対の幌骨３１，３２と、幅方向の両端において一対の幌骨３１，３２の基部に固定連結されて一対の幌骨の間隔を固定する固定部材３３と、一対の幌骨３１，３２間に掛け渡される幌布３４とを有する。同様に、図５に示すように、第２幌セグメント４０は、一対の幌骨４１，４２と、固定部材４３と、幌布４４とを備え、第３幌セグメント５０は、一対の幌骨５１，５２と、固定部材５３と、幌布５４とを備える。
【００２２】
図１において、展開状態の幌２０の全体は最後方の位置にもたらされているが、日射しが座席の前方から入り込むような場合には、幌２０全体を最前方の位置（左方向に回動させた位置）にもたらすようにする。
【００２３】
図３、図４、図７および図８は、幌２０を折り畳んだ状態を示している。この折り畳み状態において、各幌セグメント３０，４０，５０の一対の幌骨の間隔は狭まっていないので、各幌布３４，４４，５４はぴんと張った状態のままであり、下方に垂れ下がっていない。
【００２４】
図１〜図８に示す実施形態では幌は３個の幌セグメントを有していたが、他の実施形態として、幌が２個の幌セグメントを有するものとしてもよい。図９は、幌２０が、第１幌セグメント３０と、第２幌セグメント４０とを有し、最大展開状態においては、両幌セグメント３０，４０間に隙間ができる構造のものを示している。この実施形態に係る幌２０は、図１０に示すように、第１幌セグメント３０と第２幌セグメント４０との間の隙間を覆うように、第１幌セグメント３０と第２幌セグメント４０との間に掛け渡される補助幌布７０を有する。補助幌布７０は、面ファスナーのような接続手段を介して、第１幌セグメント３０および第２幌セグメント４０に取り外し可能に接続される。
【００２５】
図１１は、本考案の他の実施形態に係るチャイルドシートを示している。この実施形態では、各幌セグメント１３０、１４０、１５０は、樹脂の一体成形物と幌布とを備えている。各幌セグメントは実質的に同じ構造であるので、代表的に第１幌セグメントの構造を説明する。第１幌セグメント１３０の一対の幌骨１３１、１３２と、それらの基部を連結する固定部材１３３とは、樹脂の一体成形物である。一対の幌骨１３１、１３２と固定部材１３３とによって大きな開口窓が形成されるが、この開口窓は幌布１３４によって覆われる。幌布１３４と樹脂成形物との連結固定手段としては、例えば、面ファスナー、止めボタン等の任意のものを使用できる。上記以外の構造特特徴は、前述の実施形態と同じであるのでその説明を省略する。
【００２６】
以上、図面を参照してこの考案の実施形態を例示的に説明したが、この考案は図示した形態のものに限定されない。図示した実施形態に対して、この考案と同一の範囲内において、または均等の範囲内において、種々の修正や変形を加えることが可能である。
【産業上の利用可能性】
【００２７】
この考案は、子供を日射しから護る幌および子供用座席として有利に利用され得る。
【符号の説明】
【００２８】
１００  チャイルドシート、１０  座席本体、１１  ベース部材、１２  座部、１３  背もたれ部、２０  幌、３０  第１幌セグメント、３１  幌骨、３２  幌骨、３３  固定部材、３４  幌布、４０  第２幌セグメント、４１  幌骨、４２  幌骨、４３  固定部材、４４  幌布、５０  第３幌セグメント、５１  幌骨、５２  幌骨、５３  固定部材、５４  幌布、６０  連結軸、７０  補助幌布、１３０  第１幌セグメント、１３１，１３２幌骨、１３３  固定部材、１３４  幌布。
【図１】
0003172193.tif 000003
【図２】
0003172193.tif 000004
【図３】
0003172193.tif 000005
【図４】
0003172193.tif 000006
【図５】
0003172193.tif 000007
【図６】
0003172193.tif 000008
【図７】
0003172193.tif 000009
【図８】
0003172193.tif 000010
【図９】
0003172193.tif 000011
【図１０】
0003172193.tif 000012
【図１１】
0003172193.tif 000013